(57)【特許請求の範囲】
【請求項１】
電池から印加される所定直流電圧に基づいて負電位を有する高圧高周波パルスを発生する携帯型電位発生器と、特定治療部位に装着可能な形状を有し前記携帯型電位発生器の負電位電極に接続される電床と、前記携帯型電位発生器の零電位電極に一端を接続されるアンテナ部材とを具備し、
前記電床を前記特定治療部位に装着するとともに前記アンテナ部材の他端を前記特定治療部位とは異なる特定部位に接触させた状態で前記携帯型電位発生器から前記電床に負電位を有する高圧高周波パルスを出力することにより、電位治療を行うようにしたことを特徴とする携帯型電位治療装置。
【請求項２】
前記携帯型電位発生器は、２．４〜９Ｖの直流電圧に基づいて３００〜３０００Ｖ，５〜１００ＫＨｚの負電位を有する高圧高周波パルスを発生することを特徴とする請求項１記載の携帯型電位治療装置。
【請求項３】
前記電床は、腹部用電床、足用電床、腕用電床、手首用電床、足首用電床、靴中敷き電床の何れかであることを特徴とする請求項１または２記載の携帯型電位治療装置。
【請求項４】
前記アンテナ部材は、導電性部材を把持しやすい形状に成形して成る把持部と、該把持部および前記携帯型電位発生器の零電位電極間を保護回路を介して電気的に接続するリード部とを具備して成ることを特徴とする請求項１〜３の何れか１項記載の携帯型電位治療装置。
【発明の詳細な説明】
【０００１】
【発明の属する技術分野】
本発明は、横臥姿勢での電位治療は勿論、立ち姿勢や歩行姿勢での電位治療を行い得るようにした、携帯型電位治療装置に関するものである。
【０００２】
【従来の技術】
電位治療装置は、交流電界、直流電界または絶縁状態に置いた人体に電気エネルギー（例えば高電位）を与えて治療する機器である。この電位治療装置を用いて、例えば人体を絶縁状態に置いた状態で３００〜１００００Ｖの負電位を与えると、循環血液中のナトリウムおよびカルシウムのイオン化量が増大するため、酸性化している人体を弱アルカリ化することができる。
【０００３】
このような電位治療装置の従来例としては、交流電源方式の電位治療装置と、電池（一次電池、充電式電池を含む）駆動方式の電位治療装置とがある。例えば特許第２６４９１６０号公報の第１図〜第３図に記載されたものは、据え置き型として構成されており、交流電源方式を採用しているものと推定される。この従来装置の内、上記公報の第１図に記載されたものは、感電を防止しつつ正電位療法を行うため、治療対象であるマット上に横臥した人体および電位発生器のアース電極を接地するとともに、絶縁体で覆われたマット内に設けた正電位電極に正電位を印加するようにしている。また、上記公報の第２図および第３図に記載されたものは、負電位療法を行うため、電位発生器のアース電極を接地するとともに、絶縁体で覆われたマット上に横臥した人体に負電位電極を介して負電位を印加するようにしている。
【０００４】
一方、本願出願人が先に提案した実用新案登録第３０５０７７８号には、電源として電池を使用することにより可搬性を向上させるようにした電池式電位治療装置が記載されている。この電池式電位治療装置は、電池（複数個の乾電池等）より成る電源部から昇圧トランスの一次側にバイアス電圧を断続的に印加したとき該昇圧トランスの二次側に発生する高圧パルスを負電位を有する高圧パルスに変換して、その負電位を有する高圧パルスを電極部から治療部位に出力するように構成されている。
【０００５】
【発明が解決しようとする課題】
交流電源方式の電位治療装置の場合、装置本体から正電位または負電位を印加される電極（電床板）等をふとん、クッション、車両のシート、イス等に内蔵させて、その上に治療対象となる人間が横臥した状態または腰掛けた状態で電位治療を行うため、電位治療装置の設置場所がコンセントの近傍に限定されてしまい、必然的に電位治療装置を据え置き型として使用することになる。このような据え置き型の電位治療装置では、出力レベルが絶対アース（地面）との位置関係に応じて大きく変動してしまうという不具合がある。
【０００６】
一方、電池式電位治療装置の場合、設置場所がコンセントの近傍に限定されないため、交流電源方式の電位治療装置に比べて設置場所の自由度が著しく向上している。しかし、設置面積の広い電床板と、常時携帯するには大きくかつ重い電位発生器とを具備しているため、電位治療対象である人体に電池式電位治療装置を装着した状態での電位治療、例えば立ち姿勢での電位治療や歩行姿勢での電位治療を行うのは困難である。そのため、現在に至るまで、「移動使用可能な小型の携帯型電位治療装置」は実現されていない。
【０００７】
本発明は、立ち姿勢での電位治療や歩行姿勢での電位治療を行い得る、小型で軽量な携帯型電位治療装置を提供することを目的とする。
【０００８】
【課題を解決するための手段】
上記目的のため、請求項１に記載の第１発明は、電池から印加される所定直流電圧に基づいて負電位を有する高圧高周波パルスを発生する携帯型電位発生器と、特定治療部位に装着可能な形状を有し前記携帯型電位発生器の負電位電極に接続される電床と、前記携帯型電位発生器の零電位電極に一端を接続されるアンテナ部材とを具備し、前記電床を前記特定治療部位に装着するとともに前記アンテナ部材の他端を前記特定治療部位とは異なる特定部位に接触させた状態で前記携帯型電位発生器から前記電床に負電位を有する高圧高周波パルスを出力することにより、電位治療を行うようにしたことを特徴とする。
【０００９】
請求項２に記載の第２発明は、前記携帯型電位発生器は、２．４〜９Ｖの直流電圧に基づいて３００〜３０００Ｖ，５〜１００ＫＨｚの負電位を有する高圧高周波パルスを発生することを特徴とする。
【００１０】
請求項３に記載の第３発明は、前記電床は、腹部用電床、足用電床、腕用電床、手首用電床、足首用電床、靴中敷き電床の何れかであることを特徴とする。
【００１１】
請求項４に記載の第４発明は、前記アンテナ部材は、導電性部材を把持しやすい形状に成形して成る把持部と、該把持部および前記携帯型電位発生器の零電位電極間を保護回路を介して電気的に接続するリード部とを具備して成ることを特徴とする。
【００１２】
【発明の効果】
第１発明においては、電池から印加される所定直流電圧に基づいて負電位を有する高圧高周波パルスを発生する携帯型電位発生器は、携帯可能な大きさ（例えばポケットに収納し得る大きさ）になっているため、電位治療を行う際に、治療対象者が前記携帯型電位発生器を携帯し、治療対象者の特定治療部位に電床を装着して該電床を前記携帯型電位発生器の負電位電極に接続するとともに、前記携帯型電位発生器の零電位電極に一端を接続されるアンテナ部材の他端を前記特定治療部位とは異なる特定部位（例えば手）に接触させた状態で、前記携帯型電位発生器から前記電床に負電位を有する高圧高周波パルスを出力すると、電床から導入された負電位を有する高圧高周波パルスにより前記特定治療部位が負電位になるとともに前記特定部位が零電位になって、電子が前記特定部位から前記特定治療部位に向かって効率よく移動することになり、出力効率が大幅に向上する。したがって、立ち姿勢での電位治療や歩行姿勢での電位治療を行い得る、小型で軽量な携帯型電位治療装置を提供することができる。
【００１３】
第２発明においては、携帯型電位発生器は、２．４〜９Ｖの直流電圧に基づいて３００〜３０００Ｖ，５〜１００ＫＨｚの負電位を有する高圧高周波パルスを発生するから、第１発明の携帯型電位治療装置による電位治療に要求される負電位を有する高圧高周波パルスを発生し得るものとなる。
【００１４】
第３発明においては、前記電床は、腹部用電床、足用電床、腕用電床、手首用電床、足首用電床、靴中敷き電床の何れかであるから、前記電床として腹部用電床を用いた場合には特定治療部位である腹部の部分強化的電位治療を行うことができ、前記電床として足用電床を用いた場合には特定治療部位である足の部分強化的電位治療を行うことができ、前記電床として腕用電床を用いた場合には特定治療部位である腕の部分強化的電位治療を行うことができ、前記電床として手首用電床を用いた場合には特定治療部位である手首の部分強化的電位治療を行うことができ、  前記電床として足首用電床を用いた場合には特定治療部位である足首の部分強化的電位治療を行うことができ、前記電床として靴中敷き電床を用いた場合には特定治療部位である足の裏の部分強化的電位治療を行うことができる。
【００１５】
第４発明においては、前記アンテナ部材は、導電性部材を把持しやすい形状に成形して成る把持部と、該把持部および前記携帯型電位発生器の零電位電極間を保護回路を介して電気的に接続するリード部とを具備して成るから、前記把持部を把持することにより、容易かつ安全に第１発明の携帯型電位治療装置による電位治療を行うことができる。
【００１６】
【発明の実施の形態】
以下、本発明の実施の形態を図面に基づき詳細に説明する。
図１は本発明の第１実施形態の携帯型電位治療装置の全体構成を例示する図である。本実施形態の携帯型電位治療装置１は、携帯型電位発生器２と、電床３と、アンテナ部材４とを具備して成る。
【００１７】
上記携帯型電位発生器２は、図２（ａ），（ｂ）の外形図に示すように、外形寸法が約８５×５０×１６ｍｍで、重量が７０〜１１０ｇ（本実施形態では９０ｇ）であり、ポケット等に収納して携帯使用し得る小型軽量の電位発生器として構成されている。この携帯型電位発生器２の表面には、図２（ａ）に示すように、電位発生を開始させるスタートスイッチ５と、タイマ動作時間を１５分／３０分の何れか一方に設定したりタイマを強制ＯＦＦにするＯＦＦ／タイマ設定スイッチ６と、動作状態を強／弱の何れか一方に切り換える切換スイッチ７と、動作中点灯する出力表示部８とが設けられている。また、携帯型電位発生器２の側面には、図２（ｂ）に示すように、出力ジャック９が設けられている。
【００１８】
上記携帯型電位発生器２の内部電気回路は、基本的には上述した本願出願人による実用新案登録第３０５０７７８号の電池式電位治療装置（従来装置）と同様に構成されているものとするが、上記従来装置に対して以下のような変更が加えられている。
第１に、昇圧トランスを薄型化することにより電位発生器全体を大幅に小型化および軽量化した。
第２に、内部電気回路を構成する半導体や抵抗等のパーツをチップ化することにより小型化および軽量化を図った。
第３に、出力ジャック９内に、内部電気回路の負電位電極に接続される負電位端子に加えて零電位端子を設け、この零電位端子を抵抗（例えば１００ｋΩ）およびコンデンサ（例えば０．１μＦ）の直列回路より成る保護回路（図示せず）を介して内部電気回路の零電位電極に接続した。
【００１９】
なお、上記携帯型電位発生器２に要求される基本的なスペックは、「電源として使用した電池（一次電池または充電式電池）から供給される２．４〜９Ｖの直流電圧に基づいて３００〜３０００Ｖ，５〜１００ＫＨｚの負電位を有する高圧高周波パルスを発生すること」である。本実施形態では、電源として使用した４本の単四型乾電池（例えばアルカリ乾電池）から供給される６Ｖの直流電圧を内蔵する昇圧トランスで昇圧したときに発生する高圧パルスを−５００Ｖ、５．４ＫＨｚの負電位を有する高圧パルスに変換して出力するようにしている。この負電位を有する高圧パルスは、内部電気回路の負電位電極に接続された出力ジャック９の負電位端子から電床３を経て特定治療部位に導かれることになるが、この負電位を有する高圧パルスの出力と同時に、本実施形態では、後述するようにして内部電気回路の零電位電極の零電位を上記保護回路およびアンテナ部材４を介して手等の特定部位に印加するようにしている。
【００２０】
上記電床３としては、腹部用電床３−１、足用電床３−２、腕用電床３−３、手首用電床３−４、足首用電床３−５、靴中敷き電床３−６等の複数種類の電床が用意されており、電位治療を希望する特定治療部位に応じて適宜使い分けるものとする。
【００２１】
上記腹部用電床３−１は、図３に示すように腹巻型に構成されており、表面全体を絶縁被覆した電床板１０と、電床板１０を収容する腹巻１１と、電床板１０に植設したリード線１２が電気的に接続されるプラグ１３とを具備して成る。上記絶縁被覆には、塩化ビニル、ナイロンおよびオレフィン系の何れか１つもしくはゴム系材料を用いるものとする。上記電床板１０の外形寸法は約５００×１６０×１ｍｍである。上記腹巻１１の外形寸法は約９７０×２００×２ｍｍであり、その中央部には電床板１０を収容するポケット１１ａが形成されており、ポケット１１ａの周囲の何れか１個所（例えば図示上側）には開口が形成されている。また、ポケット１１ａの左右両側には締結部材である面ファスナ１１ｂが設けられているため、これら面ファスナ１１ｂを重ね合わせることにより人体の腹部に腹部用電床３−１を装着することができる。なお、上記リード線１２に電気的に接続されるプラグ１３には、後述するようにしてアンテナ部材４も電気的に接続されている。
【００２２】
上記足用電床３−２は、図４に示すように、表面全体を絶縁被覆した電床板１０電床板１４と、電床板１４を収容する足用帯１５と、電床板１４に植設したリード線１６が電気的に接続されるプラグ１７とを具備して成る。上記電床板１４の外形寸法は約４５０×１６０×１ｍｍである。上記ポケット部材１５の外形寸法は約７００×２２０×２ｍｍであり、その中央部には電床板１４を収容するポケット１５ａが形成されており、ポケット１５ａの周囲の何れか１個所（例えば図示上側）には開口が形成されている。また、ポケット１５ａの左右両側には締結部材である面ファスナ１５ｂが設けられているため、これら面ファスナ１５ｂを重ね合わせることにより人体の足部に足用電床３−２を装着することができる。なお、上記リード線１６に電気的に接続されるプラグ１７には、後述するようにしてアンテナ部材４も電気的に接続されている。
【００２３】
上記腕用電床３−３は、図５に示すように、表面全体を絶縁被覆した電床板１８を裏面に貼り付けた電床部材１９と、電床板１８に植設したリード線２０を電気的に接続されるプラグ２１とを具備して成る。上記電床部材１９の外形寸法は約７２０×３００×２ｍｍであり、上記電床板１８の外形寸法は電床部材１９よりも若干小さい寸法である。上記電床部材１９の中央部には装着しやすくするための楕円状の切欠１９ａが形成されている。上記電床部材１９の電床板１８とは反対側の面の右端部には締結部材である面ファスナ１９ｂが２個所に設けられ、それと対応して上記電床部材１９の左端部には締結部材である面ファスナ１９ｃが４個所に設けられているため、これら面ファスナ１９ｂ，１９ｃを重ね合わせることにより人体の腕部に腕用電床３−３を装着することができる。なお、上記リード線２０に電気的に接続されるプラグ２１には、後述するようにしてアンテナ部材４も電気的に接続されている。
【００２４】
上記手首用電床３−４は、図６に示すように、表面全体を絶縁被覆した導電部材（導電ラバー、導電繊維等）２２と、裏面に導電部材２２を貼り付けた伸縮性を有するリストバンド２３と、導電部材２２に植設したリード線２４を電気的に接続されるプラグ２５とを具備して成る。上記リストバンド２３は、長さが約２００ｍｍで、幅が約３０〜４０ｍｍで、厚さが約２ｍｍであり、上記導電部材２２の外形寸法はリストバンド２３よりも若干小さい寸法である。上記リストバンド２３の長さを腕時計のバンドのように調整して締結部２３ａで固定することにより人体の手首部に手首用電床３−４を装着することができる。なお、上記リード線２４に電気的に接続されるプラグ２５には、後述するようにしてアンテナ部材４も電気的に接続されている。
【００２５】
上記足首用電床３−５は、図７（ａ）に示すように、表面全体を絶縁被覆した導電部材（導電ラバー、導電繊維等）を収容した伸縮性を有する足首バンド２６と、上記導電部材に植設したリード線２７を電気的に接続されるプラグ２８とを具備して成る。上記足首バンド２６は、長さが約４００ｍｍで、幅が約８０ｍｍで、厚さが約２ｍｍであり、上記導電部材の外形寸法は足首バンド２６よりも若干小さい寸法である。上記足首バンド２６の中央部には携帯型電位発生器２を収容するためのポケット２６ａが形成されており、上記足首バンド２６の左右両端部には締結部材である面ファスナ２６ｂがそれぞれ設けられているため、これら面ファスナ２６ｂを重ね合わせることにより図７（ｂ）に示すように人体の足首部に足首用電床３−５を装着することができる。なお、上記リード線２７に電気的に接続されるプラグ２８には、後述するようにしてアンテナ部材４も電気的に接続されている。
【００２６】
上記靴中敷き電床３−６は、図８に示すように、表面全体を絶縁被覆した導電部材（導電ラバー、導電繊維等）を収容した伸縮性を有する中敷き２９と、上記導電部材に植設したリード線３０を電気的に接続されるプラグ３１とを具備して成る。上記中敷き２９は、靴サイズ２２ｃｍに対応する大きさで、厚さが約２ｍｍである。この靴中敷き電床３−６は、靴の中に入れて使用することにより人体の足の裏に装着することができる。なお、上記リード線３０に電気的に接続されるプラグ３１には、後述するようにしてアンテナ部材４も電気的に接続されている。
【００２７】
上記アンテナ部材４は、図９に示すように、金属や導電ラバー等の導電性部材を把持しやすい形状に成形して成る把持部４ａと、把持部４ａおよび携帯型電位発生器２の零電位電極間を上述した抵抗およびコンデンサの直列回路より成る保護回路を介して電気的に接続するリード部４ｂとを具備して成り、リード部４ｂの先端は上記プラグ１３等に接続されている。上記把持部４ａは、長さが約１００ｍｍで、太さが約φ１０ｍｍの棒状に形成されている。なお、把持部４ａを、リング状にしたり、両端部を曲線的に盛り上げた形状とすることにより把持しやすい形状を実現してもよい。この導電性を有する把持部４ａは、使用する電床に対応する特定治療部位とは異なる特定部位（例えば特定治療部位が腹部の場合には特定部位を左手または右手とし、特定治療部位が左手首部の場合には特定部位を右手とする）に接触させた状態で使用するものとする。
【００２８】
次に、本実施形態の携帯型電位治療装置１による電位治療を、図１の構成における電床３として図３の腹部用電床３−１を用いた腹部電位治療の場合を例に挙げて説明する。
腹部電位治療を行う場合、まず、治療対象者は、治療準備のため、腹部用電床３−１を着衣の上から特定治療部位である腹部に装着し、腹部用電床３−１およびアンテナ部材４に接続されたプラグ１３を携帯型電位発生器２の出力ジャック９に差し込むとともに、アンテナ部材４の把持部４ａを前記特定治療部位とは異なる特定部位（例えば左手）に接触させておく。
【００２９】
次に、携帯型電位発生器２のＯＦＦ／タイマ設定スイッチ６を操作して動作時間を１５分／３０分の何れか一方に設定するとともに、切換スイッチ７を操作して動作状態を強／弱の何れかに切り換えておく。その後、スタートスイッチ５を押下すると、携帯型電位発生器２の負電位電極からリード線１２を介して腹部用電床３−１に−５００Ｖ、５．４ＫＨｚの負電位を有する高圧高周波パルスが出力されて、腹部用電床３−１に近接する特定治療部位に印加されることになる。
【００３０】
このとき、治療対象者の左手には、保護回路を介して携帯型電位発生器２の零電位電極に電気的に接続されたアンテナ部材４の把持部４ａが接触しており、携帯型電位発生器２の零電位電極および負電位電極が絶対アース（地面）に対してフローティング状態となっているため、特定部位である左手の方が治療対象部位である腹部よりも相対的に電位が高くなり、アンテナ部材４およびそれに接触する人体がアンテナとして機能することになる。したがって、携帯型電位発生器２から腹部用電床３−１を経て腹部に導入された負電位出力により、アンテナとして機能する左手から特定治療部位である腹部に向かって電子の移動が発生するため、人体に負電位を効率的かつ有効に作用させることが可能になり、負電位の出力効率が大幅に向上する。
【００３１】
上述した「アンテナ部材を用いる人体アンテナ化方式」の効果を確認するために、アンテナ部材使用時および不使用時の比較試験を行ったところ、以下のような試験結果が得られた。
まず、図１の構成においてアンテナ部材４を使用しない場合には、アンテナ部材４を接触させるべき左手に電位検知器を密着させた場合、僅かに電位を検知した。一方、図１の構成において、アンテナ部材４を左手に接触させるとともに右手に電位検知器を接近させた場合、ならびに、アンテナ部材４を右手に接触させるとともに左手に電位検知器を接近させた場合、何れの場合においても、手と電位検知器との間を１０〜２０ｍｍ離間させても電位を検知した。ここで、電位の強さは距離の２乗に反比例することから、アンテナ部材４を用いたことによる出力効率向上効果は極めて大きいものとなっている。
【００３２】
したがって、本実施形態の携帯型電位治療装置１においては、電位発生器として上述した本願出願人の従来装置に比べて大幅に小型化および軽量化した携帯型電位発生器２を使用したときの出力低下の影響を上記出力効率向上効果によってキャンセルすることができるので、所望の通り、立ち姿勢での電位治療や歩行姿勢での電位治療を行い得る携帯型電位治療装置を提供することができ、治療対象者の使い勝手が大幅に向上することになる。
【００３３】
また、本実施形態の携帯型電位治療装置１においては、携帯型電位発生器２の零電位電極とアンテナ部材４のリード部４ｂとを抵抗およびコンデンサの直列回路より成る保護回路を介して電気的に接続しているため、携帯型電位発生器２の零電位電極から不所望な過大電流等が流れるような状況が生じたとしても、その過大電流をカットすることができ、極めて安全性が高くなっている。
【００３４】
さらに、本実施形態の携帯型電位治療装置１では、携帯型電位発生器２の出力周波数を５．４ＫＨｚとしたが、この出力周波数を高くするほど、上述した人体アンテナ化方式による出力効率向上効果が大きくすることができる。
【００３５】
なお、本実施形態の「人体アンテナ化方式」を従来の交流電源方式の電位治療装置に適用した場合、出力周波数が５０Ｈｚまたは６０Ｈｚであるため、出力効率向上効果は期待できない。
【図面の簡単な説明】
【図１】本発明の第１実施形態の携帯型電位治療装置の全体構成を例示する図である。
【図２】（ａ），（ｂ）は第１実施形態の携帯型電位発生器の外形図である。
【図３】第１実施形態の携帯型電位治療装置で使用する腹部用電床の構成を示す図である。
【図４】第１実施形態の携帯型電位治療装置で使用する足用電床の構成を示す図である。
【図５】第１実施形態の携帯型電位治療装置で使用する腕用電床の構成を示す図である。
【図６】第１実施形態の携帯型電位治療装置で使用する手首用電床の構成を示す図である。
【図７】第１実施形態の携帯型電位治療装置で使用する足首用電床の構成を示す図である。
【図８】第１実施形態の携帯型電位治療装置で使用する靴中敷き電床の構成を示す図である。
【図９】第１実施形態の携帯型電位治療装置で使用するアンテナ部材の構成を示す図である。
【符号の説明】
１  携帯型電位治療装置
２  携帯型電位発生器
３  電床
３−１  腹部用電床
３−２  足用電床
３−３  腕用電床
３−４  手首用電床
３−５  足首用電床
３−６  靴中敷き電床
４  アンテナ部材
４ａ  把持部
４ｂ  リード部
５  スタートスイッチ
６  ＯＦＦ／タイマ設定スイッチ
７  切換スイッチ
８  出力表示部
９  出力ジャック
１０，１４，１８  電床板
１１  腹巻
１２，１６，２０，２４，２７，３０  リード線
１３，１７，２１，２５，２８，３１  プラグ
１５  足用帯び
１９  電床部材
２２  導電部材
２３  リストバンド
２６  足首バンド
２９  中敷き
【図１】
0003572321.tif 000002
【図２】
0003572321.tif 000003
【図３】
0003572321.tif 000004
【図４】
0003572321.tif 000005
【図５】
0003572321.tif 000006
【図６】
0003572321.tif 000007
【図７】
0003572321.tif 000008
【図８】
0003572321.tif 000009
【図９】
0003572321.tif 000010